(57)【要約】【課題】ＴＶ等の情報表示装置において、リモコン等の２次元方向型の入力１系統で、ホームページなどのコンテンツのフォーカス移動と画面スクロールを迅速容易になるよう制御することを目的とする。【解決手段】リモコン等の入力手段から仮想ポインタ位置を決定する仮想ポインタ位置決定手段と、ホームページ等のコンテンツからフォーカス対象オブジェクト１つを含むように画面全体を過不足なく分割した拡張オブジェクト領域集合のうち仮想ポインタ位置が属する領域を判定し、対応するフォーカス対象オブジェクトをフォーカスオブジェクトとして決定する拡張フォーカス判定手段と、仮想ポインタ位置からコンテンツの画面表示領域を決定する表示領域独立算出手段とを備え、画面上にフォーカスオブジェクトを強調したコンテンツ画像を生成表示することにより、コンテンツのフォーカス移動と画面スクロールを迅速容易になるよう制御することが可能となる。【選択図】図４
2010072905.tif 000002
【特許請求の範囲】
【請求項１】
２次元の方向情報を指示するための操作キーを有する入力手段と、
前記方向情報から仮想ポインタ位置を変更する仮想ポインタ位置決定手段と、
所定の表示対象情報の表示領域を前記仮想ポインタ位置から計算する表示領域独立算出手段と、
前記所定の表示対象情報に含まれるフォーカス対象オブジェクトの位置関係を解析する拡張画面解析手段と、
前記フォーカス対象オブジェクト情報１つを含むように画面全体を過不足なく分割した拡張オブジェクト領域集合のうち、前記仮想ポインタ位置が属する領域を判定し、対応するフォーカス対象オブジェクトをフォーカスオブジェクトとして決定する拡張フォーカス判定手段と、
前記表示領域に含まれる前記所定の表示対象情報を解析し、前記フォーカスオブジェクトを強調した画像を生成する画像生成手段と、
前記生成された画像を表示する表示手段と、
を備えた情報表示選択装置。
【請求項２】
前記仮想ポインタ位置は、前記所定の表示対象情報から決まる情報表示平面座標系において、前記２次元の方向情報から決まる方向ベクトルを加算することにより更新する仮想ポインタ位置決定手段により形成した、
請求項１に記載の情報表示選択装置。
【請求項３】
前記表示領域は、前記情報表示平面座標系において前記更新された仮想ポインタ位置が画面の所定の領域に属さない場合に、前記情報表示平面の境界を越えない範囲で前記２次元の方向情報から決まる方向ベクトルを加算することにより更新する表示領域独立算出手段により形成した、
請求項１から２のいずれかに記載の情報表示選択装置。
【請求項４】
前記フォーカスオブジェクトは、２次元座標系のうち一方の座標軸での前記仮想ポインタとの距離が最小になるフォーカス対象オブジェクトが一意に決まる場合は該当するフォーカス対象オブジェクトを割り当て、一意に決まらない場合は２次元座標系のもう一方の座標軸での前記仮想ポインタとの距離が最小になるフォーカス対象オブジェクトに割り当てる拡張フォーカス判定手段により形成した、
請求項１から３のいずれかに記載の情報表示選択装置。
【請求項５】
前記拡張フォーカス判定手段により決まるフォーカスオブジェクトが、前記表示領域独立算出手段により更新された表示領域に含まれない場合に、表示領域外フォーカスオブジェクトを画面内に重畳した画像を生成する画像表示手段により形成した、
請求項１から４のいずれかに記載の情報表示選択装置。
【請求項６】
前記表示領域外フォーカスオブジェクトは、表示領域内にフォーカスオブジェクトが存在する場合と異なる強調表現を行った画像を生成する画像表示手段により形成した、
請求項５に記載の情報表示選択装置。
【請求項７】
前記表示領域外フォーカスオブジェクトを選択した場合に、フォーカスオブジェクトが画面の所定の位置になるように表示領域を更新する表示領域独立算出手段により形成した、
請求項５から６のいずれかに記載の情報表示選択装置。
【請求項８】
前記入力手段によりフォーカスオブジェクトを選択後戻る場合に、仮想ポインタ位置が選択前と同じになるような仮想ポインタ位置決定手段により形成した、
請求項１から７のいずれかに記載の情報表示選択装置。
【請求項９】
前記仮想ポインタ位置が属する拡張オブジェクト領域が前記情報表示平面の境界に接する場合に、仮想ポインタ位置を更新する計算方法を変える仮想ポインタ位置決定手段により形成した、
請求項１から８のいずれかに記載の情報表示選択装置。
【請求項１０】
前記仮想ポインタ位置が属する拡張オブジェクト領域の領域単位でスキップするための操作キーを有する入力手段により形成した、
請求項１から９のいずれかに記載の情報表示選択装置。
【請求項１１】
前記入力手段からの情報に含まれる属性応じて、拡張オブジェクト領域の領域単位でスキップするか否かを判定して仮想ポインタ位置を変更する仮想ポインタ位置決定手段により形成した、
請求項１から１０のいずれかに記載の情報表示選択装置。
【請求項１２】
フォーカス対象オブジェクト情報１つを含むように画面の所定のサブ領域全体を過不足なく分割した拡張オブジェクト領域の集合から、前記仮想ポインタ位置が属する領域を判定し、対応するフォーカス対象オブジェクトをフォーカスオブジェクトとして決定する拡張フォーカス判定手段により形成した、
請求項１から１１のいずれかに記載の情報表示選択装置。
【請求項１３】
前記仮想ポインタを、表示領域内に表示しない画像を生成する画像表示手段により形成した、
請求項１から１２に記載の情報表示選択装置。
【発明の詳細な説明】
【技術分野】
【０００１】
本発明は、リモコン等の入力装置と表示装置を有する情機器に用いられる情報表示選択装置、情報表示選択方法に関するものである。特に画面上に表示されるメニューやハイパーリンク等の複数の選択候補から入力装置を操作して、画面スクロールとフォーカスを迅速容易に制御する情報機器に関するものである。
【背景技術】
【０００２】
テレビや携帯電話などの情報家電機器の進化とインターネットの普及に伴い、リモコンの十字ボタンなどマウスとキーボード以外の入力デバイスでインターネットにアクセスできる技術が考えられてきている。
【０００３】
このような従来方法として、テレビのリモコンで容易にインターネットの表示選択を行うための装置があった（例えば、特許文献１参照）。図１は、特許文献１に記載された従来技術の構成を示すブロック図を示すものである。
【０００４】
図１において、インターネットから受信したＨＴＭＬ文書を格納する手段１００１と、ＨＴＭＬ文書を解釈して画像メモリ上に画像を展開する手段１００２と、展開された画像を表示するディスプレイ１００３と、少なくとも４つの方向を指示するための操作キー１００４を有し、インターネットテレビ装置を遠隔的に制御するワイアレスのリモートコントローラと、ＨＴＭＬ文書中に存在するアンカータグを認識し、これら認識されたアンカータグに対応するホットスポットの、ブラウザ画面上での相互の位置関係を検出して、当該位置関係を定めた移動リストを作成する手段１００５と、少なくとも４つの方向を指示する操作キーによるユーザの操作と現在フォーカスされているホットスポットとに基づいて前記移動リストを参照することにより、フォーカスを現在のホットスポットから次にどのホットスポットへ移動するかを決定し、この決定されたホットスポットへフォーカスを移動させる制御手段１００６とを備えている。なお、ホットスポットとは、コンピュータのディスプレイ上でマウスによって指定される位置あるいは領域をいう。
【特許文献１】国際公開第９８／１２８７１号パンフレット
【発明の開示】
【発明が解決しようとする課題】
【０００５】
しかしながら、上記従来技術においては、ユーザの操作によるフォーカス移動をブラウザ画面上でのホットスポットの位置関係から作成した移動リストにより決定するため、画面に収まらない表示範囲が大きいＨＴＭＬ文書でフォーカスを移動させる際に、フォーカスの移動と画面スクロールの直感的な同時操作が実現できないという課題を有していた。図２は、従来の構成によるフォーカス移動を示す一例である。表示画面２００１にフォーカス対象オブジェクトであるホットスポット２００２（ＡからＧ）が表示されている状態で、例えばフォーカスがＣにある状態から下方向の操作を２回行った後に上方向の操作を２回行った場合、フォーカスはＡに移っており元の選択候補Ｃに戻らない。また図３に示すように、入力手段のリモコン３００１にフォーカス移動用操作キー３００２とは別に、スクロール用操作キー３００３を設けなければならずリモコン操作が煩雑になるという課題を有していた。
【０００６】
本発明は、上記従来の課題を解決するもので、任意のコンテンツにおいて操作感覚と一致するフォーカス制御と、スクロール中に画面が横ぶれしない画面スクロールを同時に実現することができる情報表示選択装置を提供することを目的とする。
【課題を解決するための手段】
【０００７】
上記目的を達成するために、本発明の情報表示選択装置は、２次元の方向情報を指示するための操作キーを有する入力手段と、方向情報から仮想ポインタ位置を変更する仮想ポインタ位置決定手段と、所定の表示対象情報の表示領域を仮想ポインタ位置から計算する表示領域独立算出手段と、前記所定の表示対象情報に含まれるフォーカス対象オブジェクトの位置関係を解析する拡張画面解析手段と、前記フォーカス対象オブジェクト情報１つを含むように画面全体を過不足なく分割した拡張オブジェクト領域集合のうち、前記仮想ポインタが属する領域を判定し、対応するフォーカス対象オブジェクトをフォーカスオブジェクトとして決定する拡張フォーカス判定手段と、表示領域に含まれる前記所定の表示対象情報を解析し、フォーカスオブジェクトを強調した画像を生成する画像生成手段と、生成された画像を表示する表示手段と、を備える。
【発明の効果】
【０００８】
本発明の情報表示選択装置によれば、仮想的なポインタ位置と画面全体を過不足なく分割した拡張オブジェクト領域からフォーカスを決定し、さらにフォーカス対象とスクロールの関連付けを間接的にした事で、任意のコンテンツにおいて操作感覚と一致するフォーカス制御と、スクロール中に画面が横ぶれしない画面スクロールを同時に実現することができるので迅速容易な情報選択が可能となる。
【発明を実施するための最良の形態】
【０００９】
以下、本発明の実施形態における情報表示選択装置、情報表示選択方法について、図面を参照しながら説明する。
【００１０】
（実施の形態）
図４は、本発明の実施の形態における情報表示選択装置の構成を示すブロック図である。図４において、情報表示選択装置は、入力手段４００１、仮想ポインタ位置決定手段４００２、表示領域独立算出手段４００３、拡張画面解析手段４００４、拡張フォーカス判定手段４００５、画像生成手段４００６、表示手段４００７を備えている。
【００１１】
入力手段４００１は、２次元の方向情報を指示するための操作キーを有する。仮想ポインタ位置決定手段４００２は、入力された方向情報からコンテンツにおける２次元座標位置を示す仮想ポインタ位置を更新して記憶する。コンテンツとは、ＨＴＭＬファイル等によって画面に表示され得るすべての表示対象情報である。仮想ポインタ位置とは、画面座標とは別にコンテンツ全体を描画展開できるような２次元座標系である情報表示平面座標系における２次元座標位置である。
【００１２】
表示領域独立算出手段４００３は、所定の画面に表示すべき情報であるＨＴＭＬファイルなどの表示対象情報のなかで、画面に表示するコンテンツの部分領域を仮想ポインタ位置から計算する。拡張画面解析手段４００４は、所定の表示対象情報に含まれるフォーカス対象オブジェクトからフォーカス対象オブジェクトの位置関係を解析する。フォーカス対象オブジェクトとは、例えばＨＴＭＬファイルでは、タグ名ＨＲＥＦ等でリンクが定義されているテキストや画像に対応するものを示す。拡張フォーカス判定手段４００５は、フォーカス対象オブジェクトの近傍矩形領域である拡張オブジェクト領域で画面全体を過不足なく分割する。そして、拡張オブジェクト領域に対応するフォーカス対象オブジェクトをフォーカスオブジェクトとして決定する。
【００１３】
画像生成手段４００６は、表示領域に含まれる所定の表示対象情報を解析し、フォーカスオブジェクトを強調した画像を生成する。表示手段４００７は、生成された画像を表示する。
【００１４】
以下に、情報表示選択装置の各構成要素について具体的な処理を説明する。
【００１５】
入力手段４００１は、フォーカス移動用操作キーと、決定キーと、戻るキーを有するリモートコントローラである。フォーカス移動用操作キーは、少なくとも４つの方向を指示するキーである。決定キーは、現在フォーカスされている項目を選択して次の表示状態に遷移させるキーである。戻るキーは、決定キーを押す前の表示状態に戻すキーである。図５は、本発明におけるリモートコントローラの一例を示す図である。なお、図５では上下左右の４つの方向操作が可能なフォーカス移動用操作キー５００２を持つ場合を示しているが、８方向や任意方向を指示できるものでも良い。
【００１６】
仮想ポインタ位置決定手段４００２は、記憶している現在の仮想ポインタ位置を、入力手段４００１で入力されたキーの情報を元に更新する。まず、表示対象情報であるＨＴＭＬファイル等では、表示すべき文字や画像が画面全体に表示しきれないコンテンツもある。そこでコンテンツに含まれるすべての文字や画像を配置する際に、画面座標とは別にコンテンツ全体を描画展開できるような２次元座標系である情報表示平面座標系を定義する。
【００１７】
図６は、情報表示平面座標系において下方向のキー操作によって仮想ポインタＶｐをＶｐ’に更新した仮想ポインタ位置更新処理の例を示す図である。情報表示平面座標系６００２は２次元の直交座標系であり、コンテンツに含まれるすべての文字や画像が描画できるＸ、Ｙ軸の定義域を［０，Ｘｍａｘ］、［０，Ｙｍａｘ］とする。オブジェクト６００３（Ａ〜Ｇ）は、コンテンツに含まれるリンク等のフォーカスが当たりうるフォーカス対象オブジェクトである。図７は、図６に示した仮想ポインタ位置Ｖｐ（Ｘｖｐ，Ｙｖｐ）を、入力される４つのキー操作に従ってＶｐ’（Ｘｖｐ’，Ｙｖｐ’）に更新する処理で用いる仮想ポインタ位置更新テーブルである。仮想ポインタ位置更新テーブルの縦項目は、更新前の仮想ポインタ位置Ｖｐの座標である。また、仮想ポインタ位置更新テーブルの横項目は、入力される４つのキー操作（上下左右）である。例えば、仮想ポインタ位置Ｘｖｐ＝０であり入力された操作キーが‘上’であれば、テーブル内の左上１番目のセルで示される計算式によって（Ｘｖｐ’、Ｙｖｐ’）＝（Ｘｖｐ、Ｙｖｐ−１）に更新される。
【００１８】
このテーブルに従って仮想ポインタ位置を計算することで、情報表示平面のＸ、Ｙ軸の定義域［０，Ｘｍａｘ］、［０，Ｙｍａｘ］を超えない範囲で更新することができる。なお、入力手段４００１から上下左右等の固定数のキー情報でなく、任意方向の２次元ベクトル情報が決まる場合には、仮想ポインタ６００１の位置座標にベクトルを加算し、定義域［０，Ｘｍａｘ］、［０，Ｙｍａｘ］を超えないように仮想ポインタ６００１の位置を更新する。また、入力手段４００１から入力されたキーが戻るキー５００４であった場合に、仮想ポインタ位置は次に表示すべき表示対象情報で前回決定キー５００３が入力されたときの仮想ポインタ位置に戻す場合もある。
【００１９】
表示領域独立算出手段４００３は、情報表示平面の中で表示すべき情報の表示領域を仮想ポインタ位置から計算する表示領域算出処理を行う。図８は、本発明における情報表示平面８００３における表示領域８００２と領域の基準点となる表示基準点８００１の一例を示す図である。表示領域８００２は、所定の画面サイズを（Ｗ，Ｈ）とすると、Ｘ軸方向の幅Ｗ、Ｙ軸方向の高さＨの矩形領域であり、矩形領域でＸ，Ｙ座標値が最小となる表示基準点８００１の座標（Ｘｂｐ，Ｙｂｐ）によって一意に決まる。図９は、表示領域算出処理で用いる表示基準点算出テーブルである。縦項目が仮想ポインタ位置ＶｐのＹ座標であり、横項目が仮想ポインタ位置ＶｐのＸ座標である。たとえば、ＸｖｐがＷ／２以下でかつＹｖｐがＨ／２以下であればテーブル内の左上１番目のセルで示される計算式によって（Ｘｂｐ，Ｙｂｐ）＝（０，０）に更新される。このテーブルに従って表示基準点座標を計算することで、表示領域８００２は仮想ポインタ８００４を含み、かつ仮想ポインタ８００４の移動に合わせて情報表示平面の境界を越えない範囲で移動する事ができる。
【００２０】
なお、図９のテーブルでは仮想ポインタは表示領域が情報表示平面の境界にある場合を除き、表示領域の中心位置となるものを示しているが、仮想ポインタが表示領域範囲外に移動した場合にのみ、表示領域を仮想ポインタの動きベクトルに合わせて移動することも可能である。
【００２１】
拡張画面解析手段は、インターネットのＨＴＭＬファイルなどの表示対象情報に含まれる表示領域内のすべての文字フォントや画像等のフォーカス対象オブジェクトＯＢＪ  Ｉ（Ｉ＝１，２，…，Ｎ）に対して、ＯＢＪ  Ｉのレイアウトやフォントサイズから表示矩形領域の最小値（ＸＩｍｉｎ，ＹＩｍｉｎ）、最大値（ＸＩｍａｘ，ＹＩｍａｘ）を求める。図１０は、フォーカス対象オブジェクトと表示矩形領域の一例を示す図である。図１０（Ａ）に示す表示矩形領域１０００１は、表示画面１０００２に含まれるフォーカス対象オブジェクトＯＢＪ  Ｉごとに、図１０（Ｂ）に示すテーブルによって管理される。なお、ここでは一つのフォーカス対象オブジェクトごとに一つの表示矩形領域の最小値、最大値を持つものとしているが、一つのオブジェクトが改行を含む文字列のように２つ以上の領域を持つ場合もある。
【００２２】
拡張フォーカス判定手段は、仮想ポインタの位置を元に、すべての各フォーカス対象オブジェクトＯＢＪ  Ｉのうち一つをフォーカスオブジェクトＦＯＢＪとして選定する拡張フォーカス判定処理を行う。図１１（Ａ）は拡張フォーカス判定処理の概要を示すフローチャートである。まず、すべてのフォーカス対象オブジェクトＯＢＪ  Ｉ（Ｉ＝１，２，…，Ｎ）に対して、仮想ポインタＶＰの位置からのＹ軸方向の距離ＬＥＮＧＴＨ＿Ｙ（ＶＰ，ＯＢＪ  Ｉ）を図１１（Ｂ）に示すフォーカス判定距離テーブルに従って求める。例えば、Ｙｖｐ＜＝ＹＩｍｉｎであれば、ＬＥＮＧＴＨ＿Ｙ＝ＹＩｍｉｎ―Ｙｖｐで求めることができる。求めたＬＥＮＧＴＨ＿Ｙ（ＶＰ，ＯＢＪ  Ｉ）を小さい順にソートし、最小となるＯＢＪ  Ｉが１つしか存在しない場合は、該当するＯＢＪ  ＩをフォーカスオブジェクトＦＯＢＪとする。一方、最小となるＯＢＪ  Ｉが１つ以上存在する場合は、ＬＥＮＧＴＨ＿Ｙが最小となるＯＢＪ  Ｉに対してのみ仮想ポインタＶＰの位置からのＸ軸方向の距離ＬＥＮＧＴＨ＿Ｘ（ＶＰ，ＯＢＪ  Ｉ）を図１１（Ｃ）に示すテーブルに従って求める。求めたＬＥＮＧＴＨ＿Ｘ（ＶＰ，ＯＢＪ  Ｉ）を小さい順にソートし最小となるＯＢＪ  ＩをフォーカスオブジェクトＦＯＢＪとする。ＬＥＮＧＴＨ＿Ｘ（ＶＰ，ＯＢＪ  Ｉ）が最小となるＯＢＪ  Ｉが２つ以上存在する場合には、所定のルール、例えば最初に見つかった（Ｉが最小の）ＯＢＪ  ＩをＦＯＢＪとしたり、ＸＩｍｉｎ＋ＹＩｍｉｎが最小となるＯＢＪ  ＩをフォーカスオブジェクトＦＯＢＪとする。
【００２３】
図１２は、拡張フォーカス判定処理で各フォーカス対象オブジェクトがフォーカスオブジェクトとして選択される仮想ポインタ位置の集合である拡張オブジェクト領域の一例を示す図である。この手法によれば、画面全体を過不足なく拡張オブジェクト領域１２００１で分割できるため、常にフォーカスオブジェクト１２００３が選ばれた状態になる。なお、拡張フォーカス判定処理で仮想ポインタ１２００２とフォーカス対象オブジェクトとの最近接距離の値や、所定の線形距離決定関数ｆＬｅｎ（ＬＥＮＧＴＨ＿Ｘ、ＬＥＮＧＴＨ＿Ｙ）により決まる値が最小になるオブジェクトをフォーカスオブジェクトとすることでも実現可能である。なお、拡張オブジェクト領域は表示対象情報にあらかじめ含まれる場合でも同様のフォーカス判定処理が可能である。なお、拡張フォーカス判定処理でフォーカスオブジェクトを決める際にすべてのフォーカス対象オブジェクトＯＢＪ  Ｉ（Ｉ＝１，２，…，Ｎ）を候補としたが、ホームページなどで画面に表示すべき情報が複数のグループに分割されている場合は、仮想ポインタが属する領域のグループに含まれるフォーカス対象オブジェクトのみを候補とすることも可能である。
【００２４】
画像生成手段は、所定の表示対象情報で表示領域に含まれる部分の情報からテキストや画像のレイアウトやサイズ、色などの属性情報を解析し、さらにフォーカスオブジェクトＦＯＢＪを強調した画像を生成する。この時、フォーカスオブジェクトＦＯＢＪが表示領域ＤＡに含まれない場合にも、半透明や影付けなどにより通常の強調表示とは異なる強調画像として、図１３に示すように表示画面１３００１内の所定の場所にフォーカスオブジェクト１３００２を重畳して描画した画像を生成する。
【００２５】
表示手段は、画像生成手段で描画された画像を所定の画面に表示する。
【００２６】
本実施形態によれば、仮想的なポインタ位置と画面全体を過不足なく分割した拡張オブジェクト領域からフォーカスを決定し、さらにフォーカス対象とスクロールの関連付けを間接的にした事で、任意のコンテンツにおいて操作感覚と一致するフォーカス制御と、スクロール中に画面が横ぶれしない画面スクロールを同時に実現することができるので、迅速容易な情報選択が可能となるという効果を有する。
【００２７】
なお、仮想ポインタ位置決定手段は、入力手段に設けられたフォーカスのスキップ操作を指示するモードからの信号を受け取ることや、同じ方向ボタンを所定の短い時間内で２回連続操作したことを判定することで、スキップ操作とみなし仮想ポインタ位置の更新計算処理を通常の方向キーと変えることもある。この時、仮想ポインタ位置を、通常の方向キーによる入力の所定倍数の距離だけ移動更新する場合や、入力された方向にある隣接する拡張オブジェクト領域に移動更新するものとしても良い。また、通常の方向キーによる入力においても、入力された方向に隣接する拡張オブジェクト領域がなく、情報表示平面の境界である場合には、仮想ポインタ位置を境界までスキップするものとする場合もある。なお、画面に表示すべき表示対象情報として、ＨＴＭＬのリンクなどフォーカス対象オブジェクトが２次元の座標位置で表現される場合の他に、３次元の座標位置で表現されるＶＲＭＬ等を表示対象情報とする場合もある。この場合、仮想ポインタの位置、フォーカス対象オブジェクトの拡張フォーカス領域は３次元座標で表現され、拡張フォーカス判定処理では立方体で表現される拡張フォーカス領域に仮想ポインタが属するかどうかでフォーカスオブジェクトを判定する。また、３次元の場合、画像生成手段は３次元の情報表示空間のオブジェクトにたいして透視投影変換を行うこと画面に表示するための画像を生成する。これにより、３次元のコンテンツでの選択においても、２次元のＨＴＭＬコンテンツと同じ操作感覚でのフォーカス制御と画面スクロールを同時に実現することができるので迅速容易な情報選択が可能となるという効果を有する。
【００２８】
さらに、入力手段で上下左右等の方向キーが入力された場合に、仮想ポインタとフォーカスオブジェクトとが同時に動作するようにしてもよい。具体的に言うと、入力手段で上方向キーが入力された場合には仮想ポインタが予め決められた分だけ上方向に移動するが、それと同時にフォーカスオブジェクトも１つ上のフォーカスオブジェクトに遷移するような構成である。この場合、画面を移動させるか否かの判断は、原則、仮想ポインタの位置で判断されるが、遷移後のフォーカスオブジェクトの座標位置が画面から外れる場合には、それに応じて画面を移動させる。つまり、画面を移動させるか否かの判断は、仮想ポインタとフォーカスオブジェクトの２つの座標位置を考慮して行われることになる。このような構成にすると、例えば、画面上と画面下に２つのフォーカス対象オブジェクトがあるような極端な場合であっても、画面はそれほど動くことなく、かつ、簡単にフォーカスオブジェクトを遷移させることができるので、ユーザの操作性と画面の見易さが向上するという効果を有する。
【産業上の利用可能性】
【００２９】
本発明にかかる情報選択表示装置、情報選択表示方法は、フォーカス移動と画面スクロールを容易に行うことができる入力操作手段と画面表示制御手段を有し、インターネットに対応したテレビや携帯電話等として、特に情報選択表示の制御方式に関して有用である。また、遠隔操作機能とディスプレイを有するゲームやパソコン等の用途にも応用できる。
【図面の簡単な説明】
【００３０】
【図１】従来の情報表示選択装置における構成の一例を示すブロック図
【図２】従来の情報表示選択装置におけるフォーカス移動の一例を示す図
【図３】従来の情報表示選択装置におけるリモコンの一例を示す図
【図４】本発明の実施の形態による情報表示選択装置の構成を示すブロック図
【図５】本発明の実施の形態による情報表示選択装置における入力手段の一例を示す図
【図６】本発明の実施の形態による情報表示選択装置における仮想ポインタ位置決定手段を説明する図
【図７】本発明の実施の形態による情報表示選択装置における仮想ポインタ位置更新テーブルの一例を示す図
【図８】本発明の実施の形態による情報表示選択装置における表示領域独立算出手段を説明する図
【図９】本発明の実施の形態による情報表示選択装置における表示基準点算出テーブルの一例を示す図
【図１０】本発明の実施の形態による情報表示選択装置における拡張画面解析手段を説明する図
【図１１】本発明の実施の形態による情報表示選択装置における拡張フォーカス判定処理のフローチャート
【図１２】本発明の実施の形態による情報表示選択装置における拡張オブジェクト領域の一例を示す図
【図１３】本発明の実施の形態による情報表示選択装置における画像生成手段による生成画像の一例を示す図
【符号の説明】
【００３１】
１００１    入力手段
１００２    画面解析手段
１００３    フォーカス判定手段
１００４    表示領域算出手段
１００５    画像生成手段
１００６    表示手段
２００１    表示画面
２００２    フォーカス対象オブジェクト
３００１    リモコン
３００２    フォーカス移動用操作キー
３００３    スクロール用操作キー
４００１    入力手段
４００２    仮想ポインタ位置独立算出手段
４００３    表示領域独立算出手段
４００４    拡張画面解析手段
４００５    拡張フォーカス判定手段
４００６    画像生成手段
４００７    表示手段
５００１    リモコン
５００２    フォーカス移動用操作キー
５００３    決定キー
５００４    戻るキー
６００１    仮想ポインタ
６００２    情報表示平面座標系
８００１    表示基準点
８００２    表示領域
８００３    情報表示平面
８００４    仮想ポインタ
１０００１    表示矩形領域
１０００２    表示画面
１２００１    拡張フォーカス領域
１２００２    仮想ポインタ
１２００３    フォーカスオブジェクト
１２００３    表示画面
１３００１    表示画面
１３００２    フォーカスオブジェクト
【図１】
2010072905.tif 000003
【図２】
2010072905.tif 000004
【図３】
2010072905.tif 000005
【図４】
2010072905.tif 000006
【図５】
2010072905.tif 000007
【図６】
2010072905.tif 000008
【図７】
2010072905.tif 000009
【図８】
2010072905.tif 000010
【図９】
2010072905.tif 000011
【図１０】
2010072905.tif 000012
【図１１】
2010072905.tif 000013
【図１２】
2010072905.tif 000014
【図１３】
2010072905.tif 000015